(57)【要約】【課題】バスルームとトイレットとが左右どちらにあるタイプであっても１つの製品から現場での簡単な施工により間取りに合わせたユニットバス・トイレットを設置できるようにすることを目的とする。【解決手段】バスタブを載置する防水パンのバスルーム部分の上下方向または左右方向の対称線上に排水口を開けるとともに、該排水口に排水を流すための傾斜勾配を前記上下方向または左右方向に対称とする。また、バスタブを載置する防水パンのバスルーム部分の矩形領域の中心に排水口を開けるとともに、該排水口に排水を流すための傾斜勾配を前記排水口を中心として上下左右方向に対称とする。壁パネルは、その裏面が、補強部材を任意の位置に配置できるような小区域に分けられているものとする。防水パンのトイレット部分には、便器配置位置に応じて現場で穴あけすべき排水口の位置に印または切り込みを入れておく。【選択図】　図４
2004068337.tif 000002
【特許請求の範囲】
【請求項１】
バスタブを載置する防水パンのバスルーム部分の上下方向または左右方向の対称線上付近に排水口を開けるとともに、該排水口に排水を流すための傾斜勾配を前記上下方向または左右方向にほぼ対称とすることを特徴とするユニットバス。
【請求項２】
請求項１に記載のユニットバスにおいて、
壁パネルは、その裏面が、補強部材を任意の位置に配置できるような小区域に分けられているものであることを特徴とするユニットバス。
【請求項３】
請求項１に記載のユニットバスにおいて、
前記パスルームの隣りにトイレット部分を設け、
前記トイレット部分の床パネルは、便器配置位置に応じて現場で穴あけすべき排水口の位置に印または切り込みが入れられているものであることを特徴とするユニットバス。
【発明の詳細な説明】
【０００１】
【発明の属する技術分野】
この発明は、バスルームとトイレットルームとが左右どちら側にあるタイプでも共通に用いることができるユニットバスに関する。
【０００２】
【従来の技術】
従来より、少ない面積にバスやトイレを容易に設置できるユニットバス・トイレットが知られている。ユニットバス・トイレットは、規格品ではあってもほとんど受注生産されている。通常、その製造にはほぼ３０日程度かかる。新築の建物にユニットバス・トイレットを設置する場合は、長い建築期間中に施工すればよいので時間的な余裕があり受注生産であっても問題はない。しかし、近年ではリフォームでユニットバス・トイレットを施工するケースが多くなってきており、この場合、３０日程度の製造日数は期間が長過ぎ、これをできる限り短くしたいという要求がある。
【０００３】
一方、ユニットバス・トイレットに係る技術として、実用新案登録第３０８３６４６号に記載されている技術がある。これによれば、床面積が少ない領域にバスルームとトイレットルームとを別部屋としたユニットバス・トイレットを設置できる。
【０００４】
【発明が解決しようとする課題】
ところで、ユニットバス・トイレットを設置する場合、建物の間取りによっては、右側バスルームで左側トイレットとしたい場合と、その反対に右側トイレットで左側バスルームとしたい場合がある。上述したように、ユニットバスは通常受注生産されるので、３０日程度をかけて、その間取りに合わせてユニットバス・トイレットを製造することになる。しかしながら、リフォームの場合、できるだけ早く施工したいという要求があり、その場合は在庫を用意しておき対処せざるを得ない。しかし、上述したように右側にあるタイプと左側にあるタイプの両方を在庫として持っておくのは収納スペースなどの点で不利である。
【０００５】
上述の実用新案登録第３０８３６４６号の技術を用いてバスルームが右側にあるものと左側にあるものとの両タイプを製造することもできる。しかし、この技術を用いたとしても、受注生産していることに変わりはなく、受注から３０日程度かけて製造して納入・施工しているのが実情である。受注製造が普通であったため、バスルームとトイレットとが左右どちらにあるタイプでも共通のユニットバス・トイレットとするという着目点は無かったと言える。
【０００６】
本発明は、上述の従来技術における問題点に鑑み、バスルームとトイレットとが左右どちらにあるタイプであっても１つの製品から現場での簡単な施工により間取りに合わせたユニットバス・トイレットを設置できるようにすることを目的とする。
【０００７】
【課題を解決するための手段】
上記目的を達成するため、請求項１に係る発明は、バスタブを載置する防水パンのバスルーム部分の上下方向または左右方向の対称線上付近に排水口を開けるとともに、該排水口に排水を流すための傾斜勾配を前記上下方向または左右方向にほぼ対称とすることを特徴とする。
【０００８】
請求項２に係る発明は、請求項１に記載のユニットバスにおいて、壁パネルは、その裏面が、補強部材を任意の位置に配置できるような小区域に分けられているものであることを特徴とする。
【０００９】
請求項３に係る発明は、請求項１に記載のユニットバスにおいて、前記パスルームの隣りにトイレット部分を設け、前記トイレット部分の床パネルは、便器配置位置に応じて現場で穴あけすべき排水口の位置に印または切り込みが入れられているものであることを特徴とする。
【００１０】
【発明の実施の形態】
以下、図面を用いて本発明の実施の形態を説明する。
【００１１】
図１は、本発明の一実施形態であるユニットバス・トイレットの平面図を示す。これは、入り口に向かって左側にバスルーム、右側にトイレットを配置するタイプである。１０１はバスルームのドア部分、１０２はトイレットのドア部分、１１１〜１１４は壁パネル、１２３はバスタブ、１２４は湯または水を供給する蛇口部、１２５は洗面台、１２６は便器、１２８はバスルームとトイレットとを分ける仕切り壁を示す。１２１は、バスタブ１２３や便器１２６が載置される防水パン（床パネル）を示す。防水パン１２１にはバス用の排水口１２２とトイレ用の排水口１２７が開けられている。
【００１２】
図２は、トイレ左タイプのユニットバス・トイレットの平面図を示す。図１と同じ部分は同じ番号を付けている。１０１’は右側のバスルームのドア部、１０２’は左側のトイレットのドア部を示す。防水パン１２１は、図１のトイレ右タイプと同じものを共通に用いる。すなわち、図１の場合は排水口１２２が左側になるように、図２の場合は排水口１２２が右側になるように（図１の状態から１８０度回転）、防水パン１２１を配置する。トイレ用の排水口の位置が１２７と１２８とで異なるが、これについては後述する。
【００１３】
図３は、図１または図２におけるＸ−Ｘ断面図を示す。１０１または１０１’は前面のドア部分、１１３は後面の壁である。防水パン１２１は床３０１から支え部材３４０により支えられて配置されている。支え部材３４０は、床３０１から防水パン１２１を含むユニットバス全体を水平に支えるためのレベル調整機能を持ったボルトである。この支え部材３４０の数とその配置の位置は任意である。防水パン１２１は矢印３２１，３２２に示すように排水口１２２に向かって排水が流れるような傾斜が付けられている。その傾斜勾配は排水口１２２を通って紙面に垂直な線上でほぼ対称である。３０２は防水パンの下部スペースであり、排水口１２２に取り付けられたトラップから排水管に排水を流すパイプ（不図示）などが収納される。バスタブ１２３は支え部材３３１〜３３３により防水パン１２１の上に載置される。支え部材３３１〜３３３は、図では３つ図示したが、その数や位置は任意である。
【００１４】
また、後面の壁パネル１１３に係止部材３１１を取り付け、該係止部材３１１にバスタブの縁部分をかみ合わせて載置することにより、バスタブ１２３がずれることがないようにしている。３１２は係止部材３１１を取り付けるために、壁パネル１１３の裏面に設けられた補強部材である。後面の壁パネル１１３にはその上部裏面に照明器具３１４を取り付けるための補強部材３１５が取り付けられる。同様にして、側面の壁パネルにも、例えば３１６に示すような位置のパネル裏面に補強部材が取り付けられる。この補強部材３１６の位置に、洗面台１２５や蛇口１２４が取り付けられる。
【００１５】
図４は、防水パン１２１の平面図を示す。防水パン１２１には、あらかじめ排水口１２２が開けられ、ここにトラップが取り付けられる。排水口１２２は、バスルームの前面または後面となる２辺４０１と４０２との間の距離４０３の中心線４０４上にほぼ位置するように開けられている。また、トイレの排水口のために、防水パン１２１には１２７，１２８に示す位置に排水口を現場で開けるための印あるいは切り込みが設けられている。さらに、防水パン１２１のバスルーム部分には排水口１２２に排水が流れるような傾斜勾配が付けられているが、この傾斜勾配は中心線４０４を対称線として図の上下で対称になっている。詳しく言えば、矢印４２１のように図の上下方向に断面を取るときは、中心線４０４の位置を中心としてほぼ対称な傾斜勾配である。この場合、バスルーム領域のどの位置で断面を取っても同じ傾斜勾配にしてある。また、この場合、矢印４２２のように図の左右方向に断面を取ったとすると、それは傾斜がなく一直線を示すようになっている。
【００１６】
以上により、この防水パン１２１を、例えば図１に示すようなトイレ右側タイプに適用する場合は、位置１２７にトイレ用の排水口を現場で開け、ＡＡに示す側にドアを、ＢＢに示す側にバスタブを配置すればよい。逆に図２に示すようなトイレ左側タイプに適用する場合は、位置１２８にトイレ用の排水口を現場で開け、ＢＢに示す側にドアを、ＡＡに示す側にバスタブを配置すればよい。どちらのタイプであっても、バス用の排水口１２２が中心線４０４上に位置し、また傾斜勾配が上下対称に付けられているので、ＡＡ側とＢＢ側のどちらでも同じ構造のバスタブを配置でき、両タイプに防水パン１２１を使用することができる。
【００１７】
特に、図３に図示した支え部材３３１〜３３３は、傾斜勾配が付けられている防水パン１２１の上に水平にバスタブ１２３を支えるため、排水口１２２に近い方の支え部材３３１は高さが高く、排水口１２２から離れた位置の支え部材３３３は高さが低くなっている。しかし、防水パンの傾斜勾配は上述したように対称に付けられているので、図４のＡＡ側またはＢＢ側のどちらにバスタブ１２３を配置する場合でも同じ支え部材３３１〜３３３で施工できる。
【００１８】
なお、ここでは図１または図２のように、図４のＡＡまたはＢＢに示す側に沿ってバスタブを配置する例で説明したので、辺４０１と４０２との間の中心線４０４上付近に排水口１２２を配置している。そのようにすることにより、バスタブをＡＡ側またはＢＢ側のどちらに配置しても、その水抜き排水口から防水パンの排水口１２２までの構造を共通にすることができる。
【００１９】
バスタブの配置位置は図４のＣＣ側またはＤＤ側としてもよい。その場合は、辺４１１と４１２との間の中心線４１４上に排水口１２２を配置する。また、傾斜勾配は、中心線４１４を対称線として図の左右で対称とする。すなわち、矢印４２２のように図の左右方向に断面を取ると、バスルーム領域のどの位置でも同じ対称な傾斜勾配で、矢印４２１のように図の上下方向に断面を取ると、どこでも一直線である。これにより、バスタブをＣＣ側またはＤＤ側のどちらに配置しても、その水抜き排水口から防水パンの排水口１２２までの構造を共通にすることができる。
【００２０】
さらに、排水口１２２の位置を、バスルームとなる四辺形ＰＱＲＳの対角線の交点の位置とするとよい。これにより、排水口１２２がバスルームの中央に位置するので、バスタブの形が変則的な形であっても、バスタブと排水口１２２との相対的な位置関係が変わらないようにできる。例えば、図４ではバスルームがほぼ正方形で、その中心位置に防水パンの排水口１２２を配置している。このとき、三角形のバスタブを、バスルームの四辺形ＰＱＲＳの四隅（Ｐ，Ｑ，Ｒ，Ｓの各隅）に配置する場合、どの隅に配置してもバスタブと排水口１２２との相対的な位置関係が変わらないようにできる。
【００２１】
図５（ａ）は、壁パネル１１１〜１１４に使用するＦＲＰ（強化プラスチック）パネルの外観を示す。図５（ｂ）は、このパネル５０１の部分的なＹ−Ｙ断面図を示す。突出部５０２は、パネルの強度を増加させるために設けられている。この突出部５０２により囲まれた部屋５０３に補強部材を埋め込むことにより、矢印Ｚの方向から図３に示した照明器具３１４や係止部材３１１、あるいは洗面台１２５や蛇口１２４を取り付ける（例えば、ネジ止めなど）ことができる。補強部材を配置するスペース５０３は矩形状に分けられているので、任意の位置に補強部材を配置することができる。これにより、トイレ右側タイプあるいはトイレ左側タイプのどちらのタイプであっても、内側の部屋の壁の任意の位置に照明器具などの部材を取り付けることができるようになる。
【００２２】
以上のように、本実施形態のユニットバス・トイレットによれば、防水パン１２１はバス用の排水口１２２が中心線４０４（または４１４）上に開けられ、左右両タイプに適用できるように傾斜勾配は中心線４０４（または４１４）に対して対称に付けられ、トイレ用の排水口は左右両タイプに適用できるように排水口の位置１２７または１２８を示す印または切り込みが付けられており、現場でタイプに合わせて容易にトイレ用の排水口を開けることができ、これにより両タイプに共通の防水パンとすることができる。さらに、壁用のパネル５０１は、任意の位置に補強部材を配置することができるので、トイレが左右のどちらにあるタイプでも共通に使用することができる。
【００２３】
上記実施の形態ではバスルームの領域がほぼ正方形でその中心に排水口を設ける例を説明したが、バスルームの形が矩形であれば本発明を適用することができる。例えば、図６（ａ）は、バスやトイレに入るドア（ＡＡ側またはＢＢ側）に向かって左右方向に長いスペースにユニットバス・トイレットを配置する場合の防水パン６０１を示す。バスタブはＡＡ側またはＢＢ側に沿って配置する。６０２はバス用の排水口であり、ＡＡ側の辺６１１とＢＢ側の辺６１２との中心線６１４上に開けられている。傾斜勾配も上述の実施形態と同様に対称に付けられている。トイレ用排水口が６０４または６０５の位置に現場で開けられることは同様である。さらに、ＣＣ側またはＤＤ側に沿ってバスタブを配置する場合は、排水口６０２をＣＣ側の辺６４１とＤＤ側の辺６４２との中心線６４４上に位置させればよい。
【００２４】
図６（ｂ）は、バスやトイレに入るドア（ＡＡ側またはＢＢ側）に向かって奥行き方向に長いスペースにユニットバス・トイレットを配置する場合の防水パン６２１を示す。バスタブはＡＡ側またはＢＢ側に沿って配置する。排水口６２２がＡＡ側の辺６３１とＢＢ側の辺６３２との中心線６３４上に設けられている。傾斜勾配も上述の実施形態と同様に対称に付けられている。トイレ用排水口の位置６２４，６２５が現場で開けられることは同様である。さらに、ＣＣ側またはＤＤ側に沿ってバスタブを配置する場合は、排水口６２２をＣＣ側の辺６５１とＤＤ側の辺６５２との中心線６５４上に位置させればよい。
【００２５】
図６（ａ）（ｂ）のようにすれば、バスタブをＡＡ側またはＢＢ側（あるいはＣＣ側またはＤＤ側）のどちらに配置してもバスタブと排水口６０２，６２２との相対的な位置関係は変わらないようにできる。これにより、各種部材の共通化、施工の共通化を図ることができる。
【００２６】
上述したように、さらに排水口をバスルームの四辺形の対角線の交点に位置するようにすれば、変則的な形のバスタブであっても、バスタブと防水パンの排水口との相対的な位置関係を変わらないようにできる。したがって、例えば三角形のバスタブを図６（ａ）（ｂ）の四辺形ＰＱＲＳのどの隅に設けても、バスタブと排水口の位置関係は変わらないので、共通の部材で共通の施工方法で施工できる。
【００２７】
なお、バスタブとバス用の排水口が離れている場合は、バスタブの排水口から防水パンの排水口まで導入するパイプなどを防水パンの上または下に設けてもよい。バスタブとバス用排水口との相対的位置関係がタイプによって変わらないので、上記の導入パイプなどの部材は各タイプに共通にできる。
【００２８】
上記実施形態では、バスルームとトイレットルームの両方を備えたものを例に説明したが、本発明は、バスルームのみからなるユニットバスにも同様に適用できる。また、一部屋にバスとトイレを含むユニットバスにも適用可能である。
【００２９】
【発明の効果】
以上説明したように、この発明によれば、バスルームとトイレットルームとが左右どちら側にあるタイプであっても、共通の防水パンを用い、またその他の部材も共通化できる。したがって、１つの製品から現場での簡単な施工により間取りに合わせたユニットバス・トイレットを設置できる。左右両タイプ別に在庫を持つ必要がなく、各部材の共通化により在庫量を減らすことができる。結果として、受注生産が普通で３０日程度の納入期間が必要であったところを短い期間で設置が済むようにできる。
【図面の簡単な説明】
【図１】本発明の実施形態のユニットバス・トイレットの平面図
【図２】トイレ左タイプのユニットバス・トイレットの平面図
【図３】図１および図２のＸ−Ｘ断面図
【図４】防水パンの平面図
【図５】壁パネルの外観図
【図６】変形例の防水パンを示す図
【符号の説明】
１０１…バスルームドア部分、１０２…トイレットドア部分、１１１〜１１４…壁パネル、１２１…防水パン、１２２…排水口、１２３…バスタブ、１２６…便器、１２７…排水口、１２８…仕切り壁。
【図１】
2004068337.tif 000003
【図２】
2004068337.tif 000004
【図３】
2004068337.tif 000005
【図４】
2004068337.tif 000006
【図５】
2004068337.tif 000007
【図６】
2004068337.tif 000008